(57)【要約】【課題】本発明は、蛍光灯器具に備えられた蛍光灯安定器の種類の判定方法及びそれに用いる判定装置に関し、蛍光灯に用いられている安定器の種類を容易に判定できる蛍光灯安定器の種類の判定方法及びそれに用いる判定装置を提供することを目的とする。【解決手段】蛍光灯の発光周波数と異なるシャッタ周波数で蛍光灯の光を取り込む撮像部５と、取り込んだ像を表示する表示部９とを有する。蛍光灯の発光周波数と異なるシャッタ周波数で蛍光灯の光を取り込み、発光周波数とシャッタ周波数との周波数差による明暗のうなりを観察して、蛍光灯に用いられている安定器の種類を判定する。うなりが観察されたら、安定器は銅鉄型であると判断し、うなりが観察されなかったら、安定器はインバータ型であると判断する。【選択図】図１
2005267869.tif 000002
【特許請求の範囲】
【請求項１】
蛍光灯の発光周波数と異なるシャッタ周波数で前記蛍光灯の光を取り込み、
前記発光周波数と前記シャッタ周波数との周波数差による明暗のうなりを観察して、前記蛍光灯に用いられている安定器の種類を判定すること
を特徴とする蛍光灯安定器の種類の判定方法。
【請求項２】
請求項１記載の蛍光灯安定器の種類の判定方法において、
前記うなりが観察されたら、前記安定器は銅鉄型であると判断し、
前記うなりが観察されなかったら、前記安定器はインバータ型であると判断すること
を特徴とする蛍光灯安定器の種類の判定方法。
【請求項３】
蛍光灯の光を受光して電気信号に変換し、
前記電気信号を所定の遮断周波数のフィルタに入力し、
前記フィルタを通過した信号を直流電気信号に変換し、
前記直流電気信号のレベルを所定の閾値と比較して前記蛍光灯の安定器の種類を判定すること
を特徴とする蛍光灯安定器の種類の判定方法。
【請求項４】
蛍光灯の発光周波数と異なるシャッタ周波数で前記蛍光灯の光を取り込む撮像部と、
前記発光周波数と前記シャッタ周波数との周波数差による明暗のうなりが観察されるか否かで前記蛍光灯に用いられている安定器の種類を判定するための表示部と
を有することを特徴とする蛍光灯安定器の種類の判定装置。
【請求項５】
蛍光灯の発光周波数と異なるシャッタ周波数で前記蛍光灯の光を通過させるシャッタ部と、
前記シャッタ部を通過した光を観察する観察窓部と
を有することを特徴とする蛍光灯安定器の種類の判定装置。
【請求項６】
蛍光灯の光を受光して電気信号に変換する光学センサ部と、
前記電気信号が入力され、所定の遮断周波数を有するフィルタ部と、
前記フィルタ部を通過した前記電気信号を直流電気信号に変換する整流回路部と、
前記直流電気信号のレベルを所定の閾値と比較して前記蛍光灯の安定器の種類を判定する安定器判定部と
を有することを特徴とする蛍光灯安定器の種類の判定装置。
【発明の詳細な説明】
【技術分野】
【０００１】
本発明は、蛍光灯器具に備えられた蛍光灯安定器の種類の判定方法及びそれに用いる判定装置に関する。
【背景技術】
【０００２】
蛍光灯を用いた照明器具には、銅鉄型安定器を備え電源周波数（５０Ｈｚ／６０Ｈｚ）で蛍光灯を点灯させる銅鉄型蛍光灯器具と、インバータ型安定器を備え電源周波数より高い周波数（例えば、２０ｋＨｚ）で蛍光灯を点灯させるインバータ型蛍光灯器具とがある。インバータ型蛍光灯器具は銅鉄型蛍光灯器具より蛍光灯の発光効率が優れているので、既存の銅鉄型蛍光灯器具をインバータ型蛍光灯器具に置き換えれば省エネルギー化を図ることができる。
【０００３】
建物に設置された既存の蛍光灯器具に用いられている安定器が銅鉄型かインバータ型かを判断するには、例えば、インバータ型専用の蛍光灯が使用されている場合には、蛍光灯の刻印や外観を観察すればインバータ型安定器が使用されていることが判る。ところが、ランプフリー型のインバータ型安定器を備えた蛍光灯器具はインバータ型専用あるいは銅鉄型専用の何れの蛍光灯も使用できる。この場合には、蛍光灯の外観から安定器の種類を判定できないので、蛍光灯器具を分解して安定器の種類を確認しなければならない。
【発明の開示】
【発明が解決しようとする課題】
【０００４】
しかしながら、蛍光灯器具の分解作業は手間がかかるため、多数の蛍光灯器具が設置された大規模店舗等での安定器種類の確認作業は、長時間を要すると共にコスト高になってしまう問題がある。また、建造物内や室内を照明中の蛍光灯をわざわざ消灯して蛍光灯器具を分解して安定器の種類を確認するのは、営業上や安全上の観点から好ましくない。
【０００５】
本発明の目的は、蛍光灯に用いられている安定器の種類を容易に判定できる蛍光灯安定器の種類の判定方法及びそれに用いる判定装置を提供することにある。
【課題を解決するための手段】
【０００６】
上記目的は、蛍光灯の発光周波数と異なるシャッタ周波数で前記蛍光灯の光を取り込み、前記発光周波数と前記シャッタ周波数との周波数差による明暗のうなりを観察して、前記蛍光灯に用いられている安定器の種類を判定することを特徴とする蛍光灯安定器の種類の判定方法によって達成される。
【０００７】
上記本発明の蛍光灯安定器の種類の判定方法において、前記うなりが観察されたら、前記安定器は銅鉄型であると判断し、前記うなりが観察されなかったら、前記安定器はインバータ型であると判断することを特徴とする。
【０００８】
上記目的は、蛍光灯の光を受光して電気信号に変換し、前記電気信号を所定の遮断周波数のフィルタに入力し、前記フィルタを通過した信号を直流電気信号に変換し、前記直流電気信号のレベルを所定の閾値と比較して前記蛍光灯の安定器の種類を判定することを特徴とする蛍光灯安定器の種類の判定方法によって達成される。
【０００９】
上記目的は、蛍光灯の発光周波数と異なるシャッタ周波数で前記蛍光灯の光を取り込む撮像部と、前記発光周波数と前記シャッタ周波数との周波数差による明暗のうなりが観察されるか否かで前記蛍光灯に用いられている安定器の種類を判定するための表示部とを有することを特徴とする蛍光灯安定器の種類の判定装置によって達成される。
【００１０】
上記目的は、蛍光灯の発光周波数と異なるシャッタ周波数で前記蛍光灯の光を通過させるシャッタ部と、前記シャッタ部を通過した光を観察する観察窓部とを有することを特徴とする蛍光灯安定器の種類の判定装置によって達成される。
【００１１】
上記目的は、蛍光灯の光を受光して電気信号に変換する光学センサ部と、前記電気信号が入力され、所定の遮断周波数を有するフィルタ部と、前記フィルタ部を通過した前記電気信号を直流電気信号に変換する整流回路部と、前記直流電気信号のレベルを所定の閾値と比較して前記蛍光灯の安定器の種類を判定する安定器判定部とを有することを特徴とする蛍光灯安定器の種類の判定装置によって達成される。
【発明の効果】
【００１２】
本発明によれば、蛍光灯に用いられている安定器の種類を容易に判定でき、安定器の種類を確認する手間と費用を節約することができる。
【発明を実施するための最良の形態】
【００１３】
〔第１の実施の形態〕
本発明の第１の実施の形態による蛍光灯安定器の種類の判定方法及びそれに用いる判定装置について図１及び図２を用いて説明する。まず、本実施の形態による蛍光灯安定器の種類の判定装置１の概略構成について図１を用いて説明する。図１は、判定装置１の概略構成のブロック図を示している。図１に示すように、判定装置１は、蛍光灯の発光周波数（蛍光灯の点滅する周波数）と異なるシャッタ周波数Ｆｓで１／Ｆｓ（秒）毎に受光時間Ｔｓだけ蛍光灯の光を取り込む撮像部５と、撮像部５で撮像された画像をフレーム周波数Ｆｆで１／Ｆｆ（秒）毎に画像を書き換えて表示する表示部９とを有している。また、判定装置１は、シャッタ周波数Ｆｓで画像を撮像するように撮像部５を制御し、フレーム周波数Ｆｆで画像を表示するように表示部９を制御する制御部７を有している。
【００１４】
撮像部５の受光部にはＣＣＤ（電荷結合素子）イメージセンサやＣＭＯＳ（相補型金属酸化物半導体）イメージセンサ等の固体撮像素子（不図示）が設けられている。表示部９の表示領域には液晶表示装置（ＬＣＤ）等が設けられている。
【００１５】
次に、このような構成を有する判定装置１による蛍光灯安定器の種類の判定方法について説明する。
我が国では東西で電源周波数が異なっており、５０Ｈｚの地域と６０Ｈｚの地域とが存在する。蛍光灯は交流電圧の１周期の振幅レベルの２つのピークで最大輝度をとるので、電源周波数が５０Ｈｚの地域で用いられる銅鉄型蛍光灯器具の蛍光灯の発光周波数Ｆｅは１００Ｈｚとなる。また、電源周波数が６０Ｈｚの地域で用いられる銅鉄型蛍光灯器具の蛍光灯の発光周波数Ｆｅは１２０Ｈｚとなる。
【００１６】
一方、インバータ蛍光灯器具の蛍光灯の発光周波数Ｆｅは、電源周波数を逓倍して生成した概ね２０ｋＨｚである。
【００１７】
シャッタ周波数Ｆｓは、銅鉄型安定器による発光周波数（１００Ｈｚ又は１２０Ｈｚ）との周波数差が、人が目視で認識できる限界の明暗のうなりの周波数である３０Ｈｚ以下となり（条件１）、且つ、シャッタ周波数Ｆｓの第ｎ次高調波とインバータ型安定器による発光周波数２０ｋＨｚとの周波数差が３０Ｈｚを超える（条件２）ようになる周波数範囲が選択されればよい。また、受光時間Ｔｓは、銅鉄型安定器による発光周波数の逆数（波長）、すなわち１／１００ｓ（秒）＝１０ｍｓ（ミリ秒）及び１／１２０ｓ≒８．３ｍｓより短ければよい（条件３）。
【００１８】
このため、本実施の形態による判定装置１のシャッタ周波数Ｆｓは、例えばＦｓ＝１０９Ｈｚに設定されている。また、受光時間Ｔｓは、例えばＴｓ＝１ｍｓに設定されている。また、フレーム周波数Ｆｆは、シャッタ周波数Ｆｓと同一周波数（Ｆｆ＝１０９Ｈｚ）に設定されている。
【００１９】
これにより、判定装置１の撮像部５で発光周波数Ｆｅ＝１００Ｈｚの光を取り込むと、発光周波数Ｆｅとシャッタ周波数Ｆｓとの周波数差（｜Ｆｅ−Ｆｓ｜＝９Ｈｚ）による明暗のうなりが表示部９で観察される。
【００２０】
また、判定装置１の撮像部５で発光周波数Ｆｅ＝１２０Ｈｚの光を取り込むと、発光周波数Ｆｅとシャッタ周波数Ｆｓとの周波数差（｜Ｆｅ−Ｆｓ｜＝１１Ｈｚ）による明暗のうなりが表示部９で観察される。
【００２１】
一方、判定装置１の撮像部５が発光周波数Ｆｅ＝２０ｋＨｚの光を取り込むと、発光周波数Ｆｅとシャッタ周波数Ｆｓの第ｎ高調波との周波数差は、最小でｎ＝１８３のときに５３Ｈｚであるので明暗のうなりが目視で観察されることはない。
【００２２】
従って、本実施の形態による判定装置１によれば、撮像部５を点灯中の蛍光灯に向けて表示部９の表示装置を観察し、明暗のうなりが視認されれば銅鉄型安定器が使用されていると判定し、明暗のうなりが視認されなければインバータ型安定器が使用されていると判定できる。
【００２３】
以上説明したように、本実施の形態によれば、蛍光灯器具を分解せずに安定器の種類を判定できるため、多数の蛍光灯器具が設置された大規模店舗等での安定器種類の確認作業を短時間に低コストで行うことができるようになる。また、建造物内や室内を照明中の蛍光灯を消灯しなくても安定器の種類を確認できるので、営業上や安全上の観点からも好ましい。
【００２４】
次に、本実施の形態による蛍光灯安定器の種類の判定方法及びそれに用いる判定装置の変形例について図２を用いて説明する。図２は、本変形例による蛍光灯安定器の種類の判定装置１１の概略構成のブロック図を示している。判定装置１１は、蛍光灯の発光周波数Ｆｅと異なるシャッタ周波数Ｆｓで蛍光灯の光を通過させるシャッタ部１５と、シャッタ部１５を通過した光を観察する観察窓部１６とを有している。シャッタ部は、例えば、回転軸から放射状に突出した複数の羽を回転軸回りに回転させる機械的シャッタ機構や、２枚の透明電極間に液晶を封止して、当該電極に電圧を印加して液晶分子の傾斜角度を制御してシャッタ動作を行う液晶シャッタ等を用いることができる。また、判定装置１１は、シャッタ部１５のシャッタにシャッタ周波数Ｆｓで光の透過／遮断動作を行わせる制御部１７を有している。
【００２５】
本変形例による判定装置１１のシャッタ周波数Ｆｓは、例えばＦｓ＝１０９Ｈｚに設定されている。また、光透過時間Ｔｔは、例えばＴｔ＝１ｍｓに設定されている。機械的シャッタ機構を用いる場合には、例えば、６５４ｒｐｍで１０枚羽のシャッタを回転させればよい。回転面内の羽の幅と隣接羽間の間隙幅は、当該回転数でＴｔ＝１ｍｓが得られるように設定する。液晶シャッタを用いる場合には、１／１０９ｓ毎に１ｍｓの時間だけ光を透過する状態になるように制御すればよい。
こうすることにより、上記第１の実施の形態と同様にして、判定装置１１のシャッタ部１５を点灯中の蛍光灯に向けて観察窓部１６を覗き込むことにより、明暗のうなりが視認されれば銅鉄型安定器が使用されていると判定し、明暗のうなりが視認されなければインバータ型安定器が使用されていると判定できる。
【００２６】
〔第２の実施の形態〕
次に、本発明の第２の実施の形態による蛍光灯安定器の種類の判定方法及びそれに用いる判定装置について図３を用いて説明する。まず、本実施の形態による判定装置２１の概略構成について図３を用いて説明する。図３は、判定装置２１の概略構成のブロック図を示している。図３に示すように、判定装置２１は、蛍光灯からの光を受光して電気信号に変換する光学センサ部２３を有している。光学センサ部２３は、ＣＣＤイメージセンサ又はＣＭＯＳイメージセンサ等の受光素子（不図示）を有している。当該受光素子は蛍光灯の発光周波数に対して十分な光学的な応答特性を有している。
【００２７】
光学センサ部２３の次段には低域通過フィルタ部２５が設けられている。低域通過フィルタ部２５の遮断周波数は銅鉄型蛍光灯器具の発光周波数Ｆｅより高く、インバータ型蛍光灯器具の発光周波数Ｆｅより低く設定されている。低域通過フィルタ部２５の次段には整流回路部２７が設けられている。整流回路部２７は低域通過フィルタ部２５を通過した電気信号を直流の電気信号に変換するようになっている。整流回路部２７の次段には安定器判定部２９が接続されている。安定器判定部２９は入力された直流電気信号のレベルを予め設定した閾値と比較して蛍光灯安定器の種類を判定し、判定結果を出力するようになっている。
【００２８】
次に、このような構成を有する判定装置１１による蛍光灯安定器の種類の判定方法について説明する。光学センサ部２３は、受光した光を光電変換して、発光周波数Ｆｅと同一の周波数の交流電気信号を低域通過フィルタ部２５に出力する。従って、銅鉄型蛍光灯器具の場合には周波数が１００Ｈｚ又は１２０Ｈｚの交流電気信号が出力され、インバータ型蛍光灯器具の場合には周波数が２０ｋＨｚの交流電気信号が出力される。低域通過フィルタ部２５の遮断周波数は例えば５００Ｈｚに設定されている。
【００２９】
従って、周波数が１００Ｈｚ及び１２０Ｈｚの電気信号は低域通過フィルタ部２５を通過して整流回路部２７に入力する。一方、周波数が２０ｋＨｚの電気信号は低域通過フィルタ部２５で遮断される。
【００３０】
１００Ｈｚ又は１２０Ｈｚの交流電気信号は、整流回路部２７に入力して高レベル側の実効値電位とほぼ同電位の直流の電気信号に変換されて安定器判定部２９に出力される。安定器判定部２９には、基準電位と実効値電位との間の電位レベルに設定された閾値が記憶されている。安定器判定部２９は整流回路部２７から出力された直流信号電位と閾値電位とを比較して、当該直流信号電位が閾値電位より高い場合には、発光周波数が１００Ｈｚ又は１２０Ｈｚの光が受光されたと判断して、銅鉄型安定器が使われていることを示すメッセージ（例えば、緑色ＬＥＤの点灯）を出力する。当該直流信号電位が閾値電位より低い場合には、発光周波数が２０ｋＨｚの光が受光されたと判断して、インバータ型安定器が使われていることを示すメッセージ（例えば、赤色ＬＥＤの点灯）を出力する。このようにして、判定装置２１は受光光の発光周波数から自動的に蛍光灯安定器の種類を判定できる。
【００３１】
なお、観察に際しては、光学センサ部２３の受光面を蛍光灯器具に向けながら判定装置２１を蛍光灯器具に近接させるのが好ましい。これにより、光学センサ部２３に蛍光灯以外の光がほとんど入射しなくなるので、判定装置２１の光の検出精度を向上させることができる。
【００３２】
以上説明したように、本実施の形態によれば、判定装置２１を用いて蛍光灯安定器の種類を自動的に判定することができる。このため、多数の蛍光灯器具が設置された大規模店舗等での安定器種類の確認作業を短時間に低コストで行うことができるようになる。また、建造物内や室内を照明中の蛍光灯を消灯しなくても安定器の種類を確認できるので、営業上や安全上の観点からも好ましい。
【００３３】
本発明は、上記実施の形態に限らず種々の変形が可能である。
上記第２の実施の形態では、判定装置２１は低域通過フィルタ部２５を有しているが、本発明はこれに限られない。例えば、判定装置２１は高域通過フィルタ部を有し、高域通過フィルタ部でインバータ型蛍光灯器具の光を光電変換した電気信号を通過させ、銅鉄型蛍光灯器具の光を光電変換した電気信号を遮断しても、同様の効果が得られる。
【図面の簡単な説明】
【００３４】
【図１】本発明の第１の実施の形態による判定装置１の概略構成のブロック図である。
【図２】本発明の第１の実施の形態の変形例による判定装置１１の概略構成のブロック図である。
【図３】本発明の第２の実施の形態による判定装置２１の概略構成のブロック図である。
【符号の説明】
【００３５】
１、１１、２１  判定装置
５  撮像部
７、１７  制御部
９  表示部
１５  シャッタ部
１６  観察窓部
２３  光学センサ部
２５  低域通過フィルタ部
２７  整流回路部
２９  安定器判定部
【図１】
2005267869.tif 000003
【図２】
2005267869.tif 000004
【図３】
2005267869.tif 000005